(57)【要約】【課題】    高い面剛性が得られる新規な横架材とパネルとの結合構造を提供するものである。【解決手段】  縦横に配置した横架材１の上部両側にしゃくり面２を形成し、該横架材１に載置するパネル３の縁に上記横架材１の上部しゃくり面２に対応する切り欠き面４を形成し、該パネル３を横架材１によって囲まれた枠中に落とし込み構成してあり、該パネル３と横架材１とに長尺材５を差し込むことにより結合してある。【選択図】    図１
2007040039.tif 000002
【特許請求の範囲】
【請求項１】
縦横に配置した横架材の上部両側にしゃくり面を形成し、該横架材に載置するパネルを設け、このパネルを横架材によって囲まれた枠中に落とし込み構成してあり、該パネルと横架材とに長尺材を差し込むことにより結合してある横架材とパネルとの結合構造。
【請求項２】
上記横架材に載置するパネルの縁に上記横架材の上部しゃくり面に対応する切り欠き面を形成してある上記請求項１に記載の横架材とパネルとの結合構造。
【請求項３】
上記横架材が梁であり、パネルが床材である上記請求項１又は２に記載の横架材とパネルとの結合構造。
【請求項４】
上記パネルが角材の結合材である上記請求項３に記載の横架材とパネルとの結合構造。
【請求項５】
上記パネルが合板である上記請求項３に記載の横架材とパネルとの結合構造。
【請求項６】
上記パネルがフラッシュ材である上記請求項３に記載の横架材とパネルとの結合構造。
【請求項７】
上記横架材が登り梁であり、パネルが野地板である上記請求項１又は２に記載の横架材とパネルとの結合構造。
【請求項８】
上記長尺材が込栓である上記請求項１乃至７の何れかに記載の横架材とパネルとの結合構造。
【請求項９】
上記長尺材が釘である上記請求項１乃至７の何れかに記載の横架材とパネルとの結合構造。
【発明の詳細な説明】
【技術分野】
【０００１】
本発明は、例えば梁である横架材と例えば床材であるパネルとの結合構造に関する。
【背景技術】
【０００２】
従来公知の例えば梁と床材との結合構造は、梁上に床板、例えば無垢板、ベニヤ合板等を載置し、必要があれば釘打ちして止めているものであった。
【発明の開示】
【発明が解決しようとする課題】
【０００３】
この従来の構造では、梁と床板との一体性が弱く、床の高い面剛性は期待できないという課題があった。
本発明は、この課題に鑑み、高い面剛性が得られる新規な横架材とパネルとの結合構造を提供するものである。
【課題を解決するための手段】
【０００４】
そのため、本発明横架材とパネルとの結合構造は、縦横に配置した横架材の上部両側にしゃくり面を形成し、該横架材に載置するパネルを設け、このパネルを横架材によって囲まれた枠中に落とし込み構成してあり、該パネルと横架材とに長尺材を差し込むことにより結合してあるものである。
上記横架材に載置するパネルの縁に上記横架材の上部しゃくり面に対応する切り欠き面を形成してある。
【０００５】
また、本発明横架材とパネルとの結合構造は、上記横架材が梁であり、パネルが床材である。
上記パネルが角材の結合材であってもよい。
上記パネルが合板であってもよい。
上記パネルがフラッシュ材であってもよい。
さらに、上記横架材が登り梁であり、パネルが野地板である。
また、上記長尺材が込栓である。
上記長尺材が釘であってもよい。
【発明の効果】
【０００６】
本発明の横架材とパネルとの結合構造は、縦横に配置した横架材の上部両側にしゃくり面を形成し、該横架材に載置するパネルを設け、又はパネルの縁に上記横架材の上部しゃくり面に対応する切り欠き面を形成し、該パネルを横架材によって囲まれた枠中に落とし込み構成してあり、該パネルと横架材とに長尺材を差し込むことにより結合してあるから、横架材のしゃくり面の垂直壁とパネルの縁の垂直面とが面接合し、横架材とパネルとがかみ合って一体になり、高い面剛性を得ることができる。
【発明を実施するための最良の形態】
【０００７】
図面に示した好ましい実施例により本発明の詳細を説明する。
図１及び図２に横架材としての梁の上に無垢板からなる床パネルを結合した実施例を示してある。図中１が梁で、この梁１には、その上部両側にしゃくり面２，２を形成してある。このしゃくり面２，２の高さは結合される後述の床パネルの厚みの半分ほどあればよい。図中３が無垢板からなる床パネルで、その縁に上記しゃくり面に対応する切り欠き面４，４を形成してある。具体的にはこの切り欠き面４は、隣れる床パネル３同士の縁を突き合わせて位置付けた際、梁１の上記しゃくり面と頂部とに嵌り合う形状にしてある。
【０００８】
このような形状にして、梁１上に床パネル３を組み合せるには、梁１によって囲まれる枠中に床パネル３を落とし込んで構成してある。そしてこの組み合せ構造にして、床パネル３と梁１とに長尺材５を差し込んで、梁１と床パネル３とを結合させてある。長尺材５を差し込むには、床パネル３と梁１とにドリルによって孔６を穿設し、長尺材５を打ち込んで結合してある。この長尺材５は込栓が望ましいが釘であってもよい。
この結合構造であると、梁１のしゃくり面２の垂直壁１０と床パネル３の切り欠き面４の垂直壁１１とが面接合し、これにより梁１と床パネル３とがパネル３の四周で結合して一体となり、高い面剛性が得られる。
【０００９】
図４及び図５に本発明の基本的な実施例を示してある。この実施例では、床パネル３の縁に切り欠き面を設けないパネルを使用し、パネル３の縁をそのまま梁１のしゃくり面２に落とし込み構成してある。この構造でも図１図示実施例の構造と同様に、梁１のしゃくり面２の垂直壁１０と床パネル３の縁の垂直面１１とが面接合し、これにより梁１と床パネル３とがパネル３の四周で結合して一体となり、高い面剛性が得られる。
図６には床パネル３に、多数の角材を結合して構成したパネルを使用した実施例が示してある。
また、図７には床パネル３にベニヤ板の合板を使用した実施例を示してある。
さらに、図８には床パネル３にフラッシュ材を使用した実施例を示してある。即ち、縁材７に架設して設けた中子８を組み込み、縁材７と中子８の両表面に板材９，９を貼り付けたものである。
図１０及び図１１には横架材１が登り梁であり、パネル３が野地板である屋根構造の実施例が示してある。
【図面の簡単な説明】
【００１０】
【図１】本発明横架材とパネルの結合構造で梁と床パネルの例を示す断面正面図。
【図２】図１図示の例の平面図。
【図３】図１図示結合構造の要部の一部を分解して示した断面正面図。
【図４】本発明横架材とパネルの結合構造の別の例を示す断面正面図。
【図５】図４図示結合構造の要部の一部を分解して示した断面正面図。
【図６】床パネルの他の例の一部断面正面図。
【図７】床パネルの更に別の例の一部断面正面図。
【図８】床パネルのまた別の例の一部断面正面図。
【図９】図８上Ａ−Ａ線に沿う断面図。
【図１０】屋根面パネルの例の一部断面側面図。
【図１１】図１０上Ｂ−Ｂ線に沿う断面図。
【符号の説明】
【００１１】
１  梁
２  しゃくり面
３  床パネル
４  切り欠き面
５  長尺材
６  孔
７  縁材
８  中子
９  板材
１０  垂直壁
１１  垂直壁
【図１】
2007040039.tif 000003
【図２】
2007040039.tif 000004
【図３】
2007040039.tif 000005
【図４】
2007040039.tif 000006
【図５】
2007040039.tif 000007
【図６】
2007040039.tif 000008
【図７】
2007040039.tif 000009
【図８】
2007040039.tif 000010
【図９】
2007040039.tif 000011
【図１０】
2007040039.tif 000012
【図１１】
2007040039.tif 000013